(57)【要約】【課題】  簡単な構造で、全方位の横揺れに対して吸収ができ、さらに上下方向の震動に対して吸収可能である免震装置と、この免震装置を配した免震家屋構造を提供する。【解決手段】  この発明に係る免震装置は、基礎に固定されると共に、上面に凹状に形成された基礎側球体収容部を有する基礎側プレートと、家屋を支持する土台に固定されると共に、前記基礎側球体収容部に対峙して配される凹状に形成された土台側球体収容部を有する土台側プレートと、前記基礎側球体収容部及び前記土台側球体収容部によって挟持され、前記土台側プレートを前記基礎側プレート上に支持する鋼球体と、弾性部材からなり、前記鋼球体を前記基礎側球体収容部及び前記土台側球体収容部の略中央に保持する球体保持部、前記基礎側プレート及び前記土台側プレートによって挟持されるフランジ部、及び前記基礎側プレート及び前記土台側プレートの外周面に囲設される筒状本体部によって少なくとも構成される弾性保持体とを具備する。【選択図】  図１
2005264580.tif 000002
【特許請求の範囲】
【請求項１】
基礎に固定されると共に、上面に凹状に形成された基礎側球体収容部を有する基礎側プレートと、
家屋を支持する土台に固定されると共に、前記基礎側球体収容部に対峙して配される凹状に形成された土台側球体収容部を有する土台側プレートと、
前記基礎側球体収容部及び前記土台側球体収容部によって挟持され、前記土台側プレートを前記基礎側プレート上に支持する鋼球体と、
弾性部材からなり、前記鋼球体を前記基礎側球体収容部及び前記土台側球体収容部の略中央に保持する球体保持部、前記基礎側プレート及び前記土台側プレートによって挟持されるフランジ部、及び前記基礎側プレート及び前記土台側プレートの外周面に囲設される筒状本体部によって少なくとも構成される弾性保持体とを具備することを特徴とする免震装置。
【請求項２】
前記基礎側球体収容部及び前記土台側球体収容部は、それぞれの凹状頂点部に、前記鋼球体を保持する凹部を有することを特徴とする請求項１記載の免震装置。
【請求項３】
前記球体保持部と前記フランジ部とは、複数のアームによって連結されることを特徴とする請求項１又は２記載の免震装置。
【請求項４】
前記基礎と前記土台の間に、請求項１〜３のいずれか一つに記載の免震装置を複数配したことを特徴とする免震家屋構造。
【請求項５】
前記請求項１〜３のいずれか一つに記載の免震装置を複数の所定箇所に配すると共に、他の箇所に、鋼板プレートが内設された防震ゴムからなる免震構造体を配したことを特徴とする免震家屋構造。
【発明の詳細な説明】
【技術分野】
【０００１】
本発明は、家屋の免震に使用される免震装置と、それを利用した免震家屋構造に関する。
【背景技術】
【０００２】
特許文献１に開示される免震構造は、コンクリートから構成された基礎の上面に、Ｖ字状に連続する一対の傾斜面と、両傾斜面の交わる谷とを表面に備えた受け台を多数設け、全数の受け台の内、複数の受け台の谷が互いに交差するように配置されており、家屋本体の土台の下面に、球体の転がりを利用して受け台状を移動する脚体を設け、脚体の移動範囲を受け台上に制限する線条部材で土台と基礎とを連結するようにしたものである。
【０００３】
特許文献２に開示される免震構造は、家屋の柱を立設する位置に対応するコンクリート基礎部に凹部を設け、該凹部内に金属製の平板を載置し、平板上に筒状の柱脚挿入部材を立設し、前記柱脚挿入部材に前記柱を挿入するように構成し、前記柱脚挿入部材がその下端のベアリング収納部内に複数のスラストボールベアリングを設けて前記平板上を摺動可能とし、且つ前記柱脚挿入部材の内部に硬質プラスチックボールを充填して挿入した前記柱を前記ゴムボール上に載置するように構成するものである。
【特許文献１】特開平１０−２９２６７０号公報
【特許文献２】特開平８−３１２１９６号公報
【発明の開示】
【発明が解決しようとする課題】
【０００４】
しかしながら、上述した特許文献１に開示される免震構造では、一つの免震装置が水平の一方向に対して復元が可能であるため、震動に対して免震装置を原因とした家屋の捻れが発生するという不具合が生じる。
【０００５】
また、特許文献２に開示された免震構造では、免震構造自体が複雑であり、コストが係ってしまうという不具合が生じる。
【０００６】
よって、この発明は、簡単な構造で、全方位の横揺れに対して吸収ができ、さらに上下方向の震動に対して吸収可能である免震装置と、この免震装置を配した免震家屋構造を提供することにある。
【課題を解決するための手段】
【０００７】
したがって、この発明に係る免震装置は、基礎に固定されると共に、上面に凹状に形成された基礎側球体収容部を有する基礎側プレートと、家屋を支持する土台に固定されると共に、前記基礎側球体収容部に対峙して配される凹状に形成された土台側球体収容部を有する土台側プレートと、前記基礎側球体収容部及び前記土台側球体収容部によって挟持され、前記土台側プレートを前記基礎側プレート上に支持する鋼球体と、弾性部材からなり、前記鋼球体を前記基礎側球体収容部及び前記土台側球体収容部の略中央に保持する球体保持部、前記基礎側プレート及び前記土台側プレートによって挟持されるフランジ部、及び前記基礎側プレート及び前記土台側プレートの外周面に囲設される筒状本体部によって少なくとも構成される弾性保持体とを具備することにある。
【０００８】
これによって、基礎からの震動によって基礎側プレートが移動するが、鋼球体を介して支持される土台側プレートへの震動は鋼球体によって吸収されるため、家屋の土台への震動の伝達を抑制することができるものである。また、弾性保持体によって、縦方向の震動についても吸収することができる。
【０００９】
また、前記基礎側球体収容部及び前記土台側球体収容部は、それぞれの凹状頂点部に、前記鋼球体を保持する凹部を有することが望ましい。これによって、鋼球体を確実に中心に位置させることができるものである。
【００１０】
さらに、前記球体保持部と前記フランジ部とは、複数のアームによって連結されることが望ましい。
【００１１】
また、本願発明に係る免震家屋構造は、上述した免震装置を所定の位置に複数配するものである。さらに、前記免震装置の間に、鋼板プレートが内設された防震ゴムからなる免震構造体を配するようにするものであっても良い。
【発明の効果】
【００１２】
したがって、この発明によれば、簡易な構造で、震動の横揺れ及び縦揺れを吸収することができるので、コストの低減が図れる。また、弾性保持体が、基礎側プレート及び土台側プレートに囲設されることから、気密性及び防錆効果が得られるので、耐用年数も保持することができるものである。
【発明を実施するための最良の形態】
【００１３】
以下、この発明の実施例ついて図面により説明する。本願発明に係る免震構造１は、例えば図１に示すように、家屋を構成する柱の端部や土台（以下、土台）２と地面に設けられた基礎３との間に介在され、地震等の基礎３を介して伝わる地面の震動、例えば横揺れ及び縦揺れが、家屋に伝達されるのを防止又は抑制するものである。
【実施例１】
【００１４】
前記免震構造１は、例えば基礎３上に固着又は設置される基礎側固定部５を介して基礎３に固定される基礎側固定プレート８Ｂと、土台２の所定の位置に固着される土台側固定部４を介して前記土台２に固定される土台側固定プレート８Ａと、前記基礎側固定プレート８Ｂ及び前記土台側固定プレート８Ａの間に配され、基礎側固定プレート８Ｂに対して前記土台側固定プレート８Ａを移動可能に支持する鋼球体１０と、前記基礎側固定プレート８Ｂ及び前記土台側基礎プレート８Ａの間及び周囲に配される弾性保持体９とによって構成される。尚、前記土台側固定部４と前記土台側固定プレート８Ａは、ボルト６によって固定され、また前記基礎側固定部５と前記基礎側固定プレート８Ｂは、ボルト７によって固定される。
【００１５】
前記基礎側固定プレート８Ｂ及び前記土台側固定プレート８Ａを構成する固定プレート８は、図２（ａ），（ｂ）に示すように、本体プレート部８０と、前記土台側固定部４又は前記基礎側固定部５に嵌着される嵌着固定部８１とが、鉄、鋼等の金属によって一体に形成されたもので、前記装着固定部８１と対向する面には、凹状に形成された球体収容部８２が形成される。この球体収容部８２は、中央部分から周縁部近傍にかけて大きな曲率半径の凹面に形成され、周縁部近傍では小さな曲率半径の凹面に形成される。また、球体収容部８２の中央部分である凹状頂点部には、前記鋼球体１０の曲面に略等しい曲率半径を有する位置固定用凹部８３が形成され、通常の状態で、前記鋼球体１０がこの位置に嵌り込んでその位置を保持するようになっているものである。
【００１６】
前記弾性保持体９は、図３（ａ），（ｂ）に示されるように、前記土台側固定プレート８Ａ及び前記基礎側固定プレート８Ｂの外周面に当接する円筒状の筒状本体部９０と、この筒状本体部９０の内周面略中央から中心方向に延出し、前記土台側固定プレート８Ａ及び前記基礎側固定プレート８Ｂによって挟持圧縮される周縁部９１Ａを有するフランジ部９１と、前記鋼球体１０を前記土台側固定プレート８Ａ及び前記基礎側固定プレート８Ｂのそれぞれの球体収容部８２の略中央に保持する円筒状の球体保持部９３と、前記球体保持部９３及び前記フランジ部９１とを連結する複数のアーム部９４とによって構成される。また、この実施例では、前記球体保持部９３の周囲に前記アーム部９４と連結するためにフランジ部９３Ａが設けられており、それぞれのアーム部９４の間には鋼球体１０の移動を容易にするために変形空間９２が設けられている。
【００１７】
これによって、基礎側固定プレート８Ｂが基礎３の震動によって横揺れしても、前記土台側固定プレート８Ａが鋼球体１０を介して支持されていることから横揺れすることがないので、家屋の土台２への揺れの伝達を防止することができるものである。
【００１８】
以上説明した免震装置１は、家屋の重量等に基づいて、家屋１００の土台２の所定の位置に複数配置され、免震家屋構造を構成することが望ましい。基本的は、柱が立設される箇所であって柱の下端部分と前記基礎３の間及び柱の間に所定の間隔を配して設けられることが望ましいものである。
【００１９】
図４で示す免震家屋構造は、前記柱が立設される箇所であって柱の下端部分と前記基礎３の間に上述して免震装置１を配置し、それぞれの免震装置１の間に安価な免震構造体２０を設けたものである。
【００２０】
前記免震構造体２０は、例えば図５で示すように、基礎３と土台２との間に挟持固定される弾性体２１と、この弾性体２１の間に設けられた補強鋼板２２とによって構成されるものである。尚、弾性体２１は、天然ゴム、合成ゴム等の弾性部材によって形成される。
【００２１】
これによって、地面からの震動によって震動する基礎３からの震動が、家屋に直接伝わないため、快適な居住空間を確保できるものである。
【図面の簡単な説明】
【００２２】
【図１】本願発明の実施例に係る免震装置の装着した状態を示した説明図である。
【図２】本願発明の免震装置の固定プレートの構成を示したもので、（ａ）はその断面図、（ｂ）はその平面図である。
【図３】本願発明の免震装置の弾性保持体の構成を示したもので、（ａ）はその断面図、（ｂ）はその平面図である。
【図４】家屋免震構造の一例を示した説明図である。
【図５】免震構造体の断面図である。
【符号の説明】
【００２３】
１  免震装置
２  土台
３  基礎
４  土台側固定部
５  基礎側固定部
６，７  ボルト
８  固定プレート
８Ａ  土台側固定プレート
８Ｂ  基礎側固定プレート
９  弾性保持部
１０  鋼球体
２０  免震構造体
１００  家屋
【図１】
2005264580.tif 000003
【図２】
2005264580.tif 000004
【図３】
2005264580.tif 000005
【図４】
2005264580.tif 000006
【図５】
2005264580.tif 000007